(57)【要約】【課題】点数を確実に判定できる標的を得る。【解決手段】一枚目の袋１−ａの前面側に標的口３−ａを切り抜き、一枚目の袋１−ａの後面側と二枚目の袋１−ｂの前面側に、一枚目の袋１−ａの前面側を切り抜いた標的口３−ａより小さい標的口３−ｂを切り抜いて、二枚目の袋１−ｂの後面側と三枚目の袋１−ｃの前面側に二枚目の標的口３−ｂより小さい標的口３−ｃを切り抜いた複数の袋１−ａ、ｂ、ｃを重ねて構成する。【選択図】          図１
2004275652.tif 000002
【特許請求の範囲】
【請求項１】
一枚目の袋（１−ａ）の前面側に標的口（３−ａ）を切り抜き、一枚目の袋（１−ａ）の後面側と二枚目の袋（１−ｂ）の前面側に、一枚目の袋（１−ａ）の前面側を切り抜いた標的口（３−ａ）より小さい標的口（３−ｂ）を切り抜き、二枚目の袋（１−ｂ）の後面側と三枚目の袋（１−ｃ）の前面側に、二枚目の標的口（３−ｂ）より小さい標的口（３−ｃ）を切り抜いた複数の袋（１−ａ）（１−ｂ）（１−ｃ）を重ねて構成した標的。
【請求項２】
複数の袋（１−ａ）（１−ｂ）を重ね、袋（１−ａ）と袋（１−ｂ）の間に袋状の空間ができるように一体に形成し、前側の袋（１−ａ）より後側の方が、大きさが小さくなるように切り抜いた標的口（３−ａ）（３−ｂ）（３−ｃ）を形成して構成した標的。
【請求項３】
複数のシート（８−ａ）（８−ｂ）（８−ｃ）（８−ｄ）を重ね、各シート（８−ａ）（８−ｂ）（８−ｃ）（８−ｄ）間に袋状の空間ができるように一体に形成し、前側のシート（８−ａ）より後側の方が、大きさが小さくなるように切り抜いた標的口（３−ａ）（３−ｂ）（３−ｃ）を形成して構成した標的。
【発明の詳細な説明】
【０００１】
【発明の属する技術分野】
本発明は、ボールゲームに使用する標的に関する。
【０００２】
【従来の技術】
これまでは、例えば図３に示すような標的が知られている。すなわち、ボールを標的に当てて点数を競いゲームをしていた。
【０００３】
【発明が解決しようとする課題】
図３に示した標的には、つぎのような欠点があつた。投球したボールが点数と点数の境界線上に当つた場合、的確に点数を判定することが困難であつた。
【０００４】
本発明は、ボールを投げて標的に当てた場合、当つた点数が確実に判る標的を得ることを目的としている。
【０００５】
【課題を解決するための手段】
上記目的を達成するために、本発明の請求項１の標的においては、一枚目の袋の前面側に標的口を切り抜き、一枚目の袋の後面側と二枚目の袋の前面側に、一枚目の袋の前面側に切り抜いた標的口より小さく標的口を切り抜き、二枚目の袋の後面側と三枚目の袋の前面側に、二枚目の標的口より小さい標的口を切り抜いた複数の袋を重ねて構成したものである。また、請求項２の標的においては、複数の袋を重ね、袋と袋の間に袋状の空間ができるように一体に形成し、前側の袋より後側のほうが、大きさが小さくなるように切り抜いた標的口を形成して構成したものである。更に、請求項３の標的においては、複数のシートを重ね、各シート間に袋状の空間ができるように一体に形成し、前側のシートより後方の方が、大きさが小さくなるように切り抜いた標的口を形成して構成したものである。
【０００６】
各標的口は各袋の中央部に、各標的口の中心が同一となるように切り抜くとよい。標的口はどのような形状でもよいが、円形にするとよい。各標的口が鮮明になるように、標的口の周りには、標的環を取り付け、袋と別色に縁取りするとよい。
【０００７】
袋は化学繊維、天然繊維を網目にして製作すると、中に入つたボールが見えるので効果的である。また、各袋と袋の中央部の接触面は接着して一体にするとよい。
【０００８】
各袋に入つたボールを取り出すため、下方部にスライドフアスナーを取り付けるか、マジツクテープを取り付けて開閉自在にするとよい。
【０００９】
【作用】
本発明に係る標的は、次のように使用する。標的に向つてボールを投げて、標的口の枠内の一枚目の袋の後面側に当つた場合、袋のクツシヨンによつて勢いが緩和されて、ボールは袋の下部に落下する。二枚目の袋の後面側に当つた場合、同じ理由で、袋の下部に落下する。三枚目の袋の後面側に当つた場合も、同じ理由で、袋の下部に落下する。すなわち、標的口の枠内にボールが当たりさえすれば、袋に入ることになる。事前に袋による点数を決めておけば、点数結果は常に明確にすることができる。
【００１０】
【発明の実施の形態】
発明の実施の形態を実施例にもとづき図面を参照して説明する。
図１、２において、１−ａ、１−ｂ、１−ｃは袋を示している。一枚目の袋１−ａの前面側の中央部を円形に切り抜いて、標的口３−ａを形成している。更に、一枚目の袋１−ａの後面側と二枚目の袋１−ｂの前面側の中央部を円形に切り抜いて、標的口３−ｂを形成している。そして、その円形の大きさは、一枚目の袋１−ａの前面側の円形より小さいものとしている。次に、二枚目の袋１−ｂの後面側と三枚目の袋１−ｃの前面側の中央部を円形に切り抜いて標的口３−ｃを形成している。そして、その円形の大きさは、一枚目の袋１−ａの後面側の切り抜きと二枚目の袋１−ｂの前面側の切り抜きより小さいものとしている。また、夫々の切り抜いた標的口３−ａ、３−ｂ、３−ｃの中心は同一線上としている。また、夫々の袋１−ａ、１−ｂ、１−ｃは両面テープで接着して一体構造としている。また、各標的口３−ａ、３−ｂ、３−ｃの周囲に標的環４−ａ、４−ｂ、４−ｃを両面テープで接着している。また、各袋１−ａ、１−ｂ、１−ｃの下方部にスライドフアスナーを縫着している。そして、立設した支柱７に袋１−ａ、１−ｂ、１−ｃを取付紐６で吊設している。
【００１１】
実施例２のものを、図３を参考にして説明する。前の袋１−ａの前面側を円形に切り抜き標的口３−ａを形成し、その周囲に標的環４−ａを取り付けている。後面側には、前面側より小さい標的口３−ｂを形成し、その周囲に標的環４−ｂを取り付けている。後の袋１−ｂの前面側を円形に切り抜き標的口３−ｃを形成し、その周囲に標的環４−ｃを取り付けている。二つの袋１−ａ、１−ｂを重ねて、その上部と側部を縫着し、下部はマジツクテープで接着して開閉自在としている。二つの袋１−ａ、１−ｂを縫着、接着してできた空間に標的口３−ｂから入つたボールが滞留する。
【００１２】
実施例３のものを、図４を参考にして説明する。８−ａ、ｂ、ｃ、ｄはシートを示している。シート−ａ、ｂ、ｃを切り抜き標的口３−ａ、ｂ、ｃを形成し、その周囲に標的環４−ａ、ｂ、ｃを取り付けている。シート８−ａ、ｂ、ｃ、ｄを重ねて、その上部と側部を縫着し、下部はマジツクテープで接着し開閉自在としている。縫着、接着してできたシート８−ａ、ｂ、ｃ、ｄによつてできた空間に標的口３−ａ、ｂ、ｃから入つたボールが滞留する。
【００１３】
【発明の効果】
本発明は、以上説明したように構成されているので、以下に記載されるような効果を奏する。
【００１４】
標的に当つたボールは、標的口を通つて袋の中に落下するので滞留したボールをカウントすればよく、点数の判定が容易になつた。
【図面の簡単な説明】
【図１】実施例１の正面図である。
【図２】標的のＡ−Ａ′拡大断面参考図である。
【図３】実施例２の参考図である。
【図４】実施例３の参考図である。
【図５】従来の標的を示す参考図である。
【符号の説明】
１−ａ、ｂ、ｃ      袋
２                  標的
３−ａ、ｂ、ｃ      標的口
４−ａ、ｂ、ｃ      標的環
８−ａ、ｂ、ｃ、ｄ  シート
【図１】
2004275652.tif 000003
【図２】
2004275652.tif 000004
【図３】
2004275652.tif 000005
【図４】
2004275652.tif 000006
【図５】
2004275652.tif 000007